(57)【要約】【課題】  ２本の単管を平行に備えた単管用バリケードに使用する視線誘導パネルであって、単管に効率よく取り付けおよび取り外しができる視線誘導パネルの提供。【解決手段】  ２本の単管１１，１１を平行に備えた単管用バリケード２１に使用する視線誘導パネル１であって、第一翼部２と第二翼部３と連接部４とが樹脂ブロー成形により一体に形成されてなる。両翼部２，３にはそれぞれ単管１１を取り付ける単管取付部１０が設けられてなる。連接部４は、両翼部２，３の間であって両単管取付部１０，１０を結ぶ線Ｌ上から離隔した位置に設けられ、連接部４が変形することにより両翼部２，３が相互に傾動可能とされてなる。【選択図】      図８
2008019699.tif 000002
【特許請求の範囲】
【請求項１】
２本の単管を平行に備えた単管用バリケードに使用する視線誘導パネルであって、第一翼部と第二翼部と連接部とが樹脂ブロー成形により一体に形成され、両翼部にはそれぞれ単管を取り付ける単管取付部が設けられ、連接部は、両翼部間であって両単管取付部を結ぶ線上から離隔した位置に設けられ、連接部が変形することにより両翼部が相互に傾動可能とされてなる
ことを特徴とする視線誘導パネル。
【請求項２】
連接部が蛇腹形状に形成されてなる
ことを特徴とする請求項１に記載の視線誘導パネル。
【請求項３】
各単管取付部は、翼部の一側縁に開口され、単管を挿脱可能な間隔を有する単管挿脱部に連接し、単管挿脱部には単管の抜脱防止具が設けられてなる
ことを特徴とする請求項１または請求項２に記載の視線誘導パネル。
【請求項４】
第一翼部と第二翼部とが上下に配置され、第一翼部の下端に下方に突設された突設部が形成されると共に、第二翼部の上端に上方に突設された突設部が形成され、第一翼部の突設部と第二翼部の突設部のいずれか一方の、連接部と離隔した位置で、かつ、連接部を中心とした円弧上に回動溝が設けられると共に、第一翼部の突設部と第二翼部の突設部のいずれか他方に前記回動溝と係合する係合部が設けられてなる
ことを特徴とする請求項１から請求項３までのいずれかに記載の視線誘導パネル。
【発明の詳細な説明】
【技術分野】
【０００１】
この発明は、視線誘導パネルに関するものである。主に、道路工事現場などで使用され、２本の単管を平行に備えた単管バリケードに取り付けられる。車両の運転者に道路の屈曲方向や勾配などの道路情報を視認させ、車両を安全に誘導する視線誘導パネルに関するものである。
【背景技術】
【０００２】
道路工事現場などで車両を誘導する際、危険場所や道路の屈曲方向などを示す視線誘導パネルが使用されている。
【０００３】
図１１に示されるように、従来の視線誘導パネルは、厚さ約３ｍｍ程度のパネルからなり、２本の単管を上下に平行に備えた単管バリケードに取り付けられている。このため、穴が長手方向両端部に一個ずつ設けられている。各々の穴に単管を一本ずつ通すことにより単管バリケードに取り付けられ、使用されている。
【発明の開示】
【発明が解決しようとする課題】
【０００４】
従来の視線誘導パネルを単管に取り付けるには、まず２本の単管を単管バリケードの支柱からそれぞれ取り外す。次に、取り外した単管の一端から視線誘導パネルの穴を通す。最後に、単管と支柱を固定し、道路工事現場などに設置する。
【０００５】
ところで、２本の平行に位置された単管のピッチは、メーカーによって多少の違いがある。このため、従来の視線誘導パネルは、下側に位置する穴を長手方向に長い長穴に形成し、単管のピッチの違いをこの長穴で吸収可能としている。
【０００６】
しかしながら、従来の視線誘導パネルでは、取り付け作業および取り外し作業の度に、支柱から単管を取り外す作業が必要であり、作業効率が非常に悪い。さらに、単管を穴に貫通させているだけなので、強風などが視線誘導パネルに当たるとき、視線誘導パネルが単管の長さ方向に移動する。このため、複数の視線誘導パネルが重なり合い、視線誘導パネルの役割を十分に果たすことができないおそれがある。
【０００７】
この発明が解決しようとする課題は、単管間のピッチの異なる単管用バリケードについても、単管に作業性よく取り付けおよび取り外しができる視線誘導パネルを提供することにある。この発明の他の課題は、量産に適し、リサイクルも容易となる視線誘導パネルを提供することである。
【課題を解決するための手段】
【０００８】
この発明は、前記課題を解決するためになされたもので、請求項１に記載の発明は、２本の単管を平行に備えた単管用バリケードに使用する視線誘導パネルであって、第一翼部と第二翼部と連接部とが樹脂ブロー成形により一体に形成され、両翼部にはそれぞれ単管を取り付ける単管取付部が設けられ、連接部は、両翼部間であって両単管取付部を結ぶ線上から離隔した位置に設けられ、連接部が変形することにより両翼部が相互に傾動可能とされてなることを特徴とする視線誘導パネルである。
【０００９】
請求項２に記載の発明は、連接部が蛇腹形状に形成されてなることを特徴とする請求項１に記載の視線誘導パネルである。
【００１０】
請求項３に記載の発明は、各単管取付部は、翼部の一側縁に開口され、単管を挿脱可能な間隔を有する単管挿脱部に連接し、単管挿脱部には単管の抜脱防止具が設けられてなることを特徴とする請求項１または請求項２に記載の視線誘導パネルである。
【００１１】
請求項４に記載の発明は、第一翼部と第二翼部とが上下に配置され、第一翼部の下端に下方に突設された突設部が形成されると共に、第二翼部の上端に上方に突設された突設部が形成され、第一翼部の突設部と第二翼部の突設部のいずれか一方の、連接部と離隔した位置で、かつ、連接部を中心とした円弧上に回動溝が設けられると共に、第一翼部の突設部と第二翼部の突設部のいずれか他方に前記回動溝と係合する係合部が設けられてなることを特徴とする請求項１から請求項３までのいずれかに記載の視線誘導パネルである。
【発明の効果】
【００１２】
この発明によれば、単管のピッチの違いに対して対応が容易となり、しかも、取り付け作業および取り外し作業の度に、支柱から単管を取り外す作業が必要でなく、単管に容易に取り付けおよび取り外しができる。
【発明を実施するための最良の形態】
【００１３】
以下、この発明の具体的実施例を図面に基づいて詳細に説明する。
本発明の視線誘導パネルは、２本の単管を平行に備えた単管用バリケードに容易に取り付けおよび取り外しを可能とするために使用される。本実施例では、本発明の視線誘導パネルの上半部と下半部が、一方に傾斜して、くの字形状をした例について説明する。図８は、本発明の視線誘導パネル１を単管バリケード２１に取り付けた状態の一実施例の使用状態を示す斜視図である。
【００１４】
図１および図２は、視線誘導パネル１の実施例を示しており、視線誘導パネル１は、第一翼部２と第二翼部３と連接部４とが樹脂ブロー成形により一体形成されている。第一翼部２と第二翼部３とは平行四辺形であって対称形であり、各翼部２，３は表裏面もほぼ対称である。両翼部２，３および連接部４は中空に形成されており、ほぼ均一な厚さに形成されている（図５、図９）。連接部４は、図３に示されるように、蛇腹形状であり、第一翼部２の右側下端部と第二翼部３の右側上端部とを連接している。第一翼部２の下側端面５には、下側端面５から下方に突出した突設部６が形成されている。また、第二翼部３の上側端面７には、上側端面７から上方に突出した突設部８が形成されている。突設部６は、下側端面５の後面側半分から突設され、突設部８は、上側端面７の前面側半分から突設されている。第一翼部２の下側端面５の前面側半分と突設部８とが突き合わせ位置にあり、第二翼部３の上側端面７の後面側半分と突設部６とが突き合わせ位置にある。第一翼部２と第二翼部３との間は、連接部４を除いて分離されており、両者を開くと両者の間には空間部９を備えたスリット９１が形成されている。
【００１５】
このように形成されることにより、第一翼部２と第二翼部３とは、図１から図２または図２から図１の順で無段階に、連接部４を基点として相対角度を変更させるように傾動する。連接部４を蛇腹形状とすることにより、傾動をより滑らかにしている。空間部９の存在により傾動時に、第一翼部２の下端と第二翼部３の上端とが衝突するのを回避確実とし、両者の動きを滑らかにしている。さらに、第一翼部２と第二翼部３の相対角度を小さくしたとき、すなわち図２のときは、突設部６と突設部８とが前後方向に面接触して摺接状態を保つので、第一翼部２と第二翼部３とが相互に面方向の位置決めがなされ、反射シール２０等の反射角度を均一に保持する。
【００１６】
さらに、第一翼部２の上部と第二翼部３の下部には各々、単管取付部１０，１０が上下対称に設けられている。連接部４は、上下の単管取付部１０，１０を結ぶ線Ｌ上から離隔距離Ｍを有した位置に設けられる。図１では、左方に傾斜した第一翼部２の上部と同じく左方に傾斜した第二翼部３の下部の各中央部に単管取付部１０，１０を設け、連接部４を両翼部２，３の接する右端部に形成することにより、十分離隔距離Ｍが確保されている。各々の単管取付部１０，１０は、第一翼部２の左側縁、第二翼部３の左側縁に開口されている。各々の単管取付部１０，１０の開口幅は、単管１１を挿通可能な幅としている。単管取付部１０は、開口を介して単管挿脱部１２と連接しており、単管挿脱部１２も単管１１の直径より大きい挿脱可能な間隔を有している。
【００１７】
このように形成されることにより、各々の単管１１を単管バリケード２１の支柱１３から取り外すことなく、単管１１への視線誘導パネル１の取り付けおよび取り外しが可能となる。
【００１８】
図４は、単管取付部１０、単管挿脱部１２を示しており、図示の実施例では、開口先端部１０ａにおいて単管１１の直径よりやや大きく、単管１１を上下に少し余裕を持って出し入れ可能な幅とする。開口中央部１０ｂにおいては単管１１の直径と同じ程度とし、単管１１を押し込むことにより挿入可能な幅とする。開口最奥部１０ｃはやや幅広としている。開口最奥部１０ｃの奥側の面にはスリット１０ｄが形成されており、単管挿脱部１２には、単管挿脱部１２を閉じるためのレバー１４が設けられている。第一翼部２に設けられたレバー１４は、単管挿脱部１２の上側に曲がり溝１５ａの奥に形成されたレバー回転支持部１５で第一翼部２に留められている。第二翼部３に設けられたレバー１４は、これと上下対称に単管挿脱部１２の下側に形成されたレバー回転支持部１５で第二翼部３に留められている。単管挿脱部１２の開口を挟んでレバー回転支持部１５に対向する位置には、レバー固定部１６が形成されている。レバー固定部１６には先端１６ａから、レバー回転支持部１５から離隔する方向に傾斜する傾斜面１６ｂが形成され、傾斜面１６ｂに連続して、窪み形状を呈するレバー係止部１７が形成されている。図１０に示されるように、レバー１４は、長方形の厚板部材１４ａの先端寄りに細長形状の空部１４ｂを形成して、空部１４ｂの先端側を回動軸１４ｃに形成すると共に、空部１４ｂの基端側をレバー係止部１７に係合する係合部１４ｄに形成し、厚板部材１４ａの基端部を指掛部１４ｅとしている。
【００１９】
図１および図４に示されるように、レバー１４はレバー回転支持部１５に嵌合された回動軸１４ｃを支点として回動可能となる。単管取付部１０の最奥部１０ｃに取り付けられた単管１１は、レバー１４の係合部１４ｄが傾斜面１６ｂ上を案内面としてレバー係止部１７に係合されることにより、抜脱不可能となる。このとき、視線誘導パネル１は樹脂製であって弾性力を有する材質で形成されており、しかもレバー係止部１４ｄを傾斜面１６ｂ上を案内面としてレバー係止部１７に留めたとき、単管取付部１０の開口が狭くなる方向に上下方向から締め付けられる。開口最奥部１０ｃにスリット１０ｄが形成されていることにより締め付けが容易となる。これにより、単管１１を確実に強く保持することができる。
【００２０】
第一翼部２および第二翼部３には、各２個の風抜穴１８ａ，１８ｂと各２箇所の貼付部１９ａ，１９ｂとが設けられている。図６および図７に示されるように、貼付部１９ａ，１９ｂは表面からわずかに凹んでいる凹形状に形成されている。
【００２１】
風抜穴１８ａ，１８ｂが形成されることにより、視線誘導パネル１に対する風圧を減少させ、視線誘導パネル１の支柱１３，１３の間の移動を最小限にする。貼付部１９ａ，１９ｂには反射シール２０が貼り付けられる。これにより、夜間でも車両の運転者に道路の屈曲方向や勾配などの道路情報を視認させることが可能となる。
【００２２】
このような構成であるから、図８に示されるように、視線誘導パネル１を、２本の単管１１，１１を平行に備えた単管用バリケード２１に単管１１を単管用バリケード２１から外すことなく嵌め付けることができる。このため、作業時間を大幅に減らすことができ、作業性が向上する。さらに、視線誘導パネル１は、単管１１，１１を強く確実に挟持固定するため、不測に取付位置がずれたりすることがなく道路情報をより確実に視認させることが可能となる。視線誘導パネル１の前面には表面から少し突出させた崩止部２２が、各翼部２，３に１個ずつ形成され、同一場所の後面には崩止穴２３が形成され、崩止部２２は崩止穴２３に適合して、上下に重ねた視線誘導パネル１が表面上でずれるのを防止する。
【００２３】
次に、本発明の視線誘導パネルの別の実施例について説明する。この実施例は、基本的構成において上記実施例の構成と同様であるので、以下では両者の異なる点を中心に説明する。また、両実施例の共通部分には、同一の符号を付して説明する。図１２および図１３は、この実施例の視線誘導パネル１の正面図であり、図１４は、図１２の部分拡大図である。図１５は、図１４におけるＤ―Ｄ断面図である。
【００２４】
図において、符号２４は第一翼部２と第二翼部３との係合手段を示している。この実施例では、係合手段２４は、第一翼部２と第二翼部３とが対向する上下中央位置に設けられ、第一翼部２と第二翼部３の上下方向への接離を一定範囲に規制する。係合手段２４は、第一翼部２に設けられた係合部２７と第二翼部３に設けられた回動溝２６とからなる。具体的には、第一翼部２の下部に突設された突設部６の左側下端部に係合部２７が設けられ、第二翼部３の上部に突設された突設部８の左側上端部に回動溝２６が形成されている。係合部２７は、前面側に突起した凸形状であり、その凸部に取付穴２７ａが形成されている。さらに、取付穴２７ａには、係合部材２５をねじ込められるようにネジが切られている。係合部２７は、突設部６の左側下端部に形成されている。第二翼部３に形成された回動溝２６は、上下方向に細長い貫通した穴状であり、回動溝上端部２６ａから回動溝下端部２６ｂにかけて弧を形成しており、連接部４の上下中央を中心とする円弧を呈している。回動溝２６の幅は、係合部２７の凸部が挿通可能な幅である。
【００２５】
第一翼部２に設けられたレバー１４は、単管挿脱部１２の上側に、単管取付部１０の開口方向に切り欠かれた曲がり溝１５ａの奥に形成されたレバー回転支持部１５で第一翼部２に留められている。第二翼部３に設けられたレバー１４は、これと上下対称に単管挿脱部１２の下側に形成されたレバー回転支持部１５で第二翼部３に留められている。また、単管取付部１０と風抜穴１８ａとの間に崩止穴２３（崩止部２２）が形成されている。さらに、視線誘導パネル１の前面に崩止穴２３が、各翼部２，３に１個ずつ形成され、同一場所の後面に崩止部２２が形成されている。崩止部２２と崩止穴２３とは、一面側と同一場所の他面側に形成されて重ね合わせたとき嵌まり合う。その他の基本的な構成は、先の実施例と同様である。
【００２６】
係合部材２５は、係合部２７を回動溝２６に挿通させ、その係合部２７に形成された取付穴２７ａにねじ込められる。よって、係合部材２５の頭部と突設部６との間に回動溝２６が配置される。したがって、突設部６と突設部８とが常に面接触した状態で、第一翼部２と第二翼部３とが一定の範囲内を、連接部４を中心として無段階に傾動可能となる。すなわち、第一翼部２と第二翼部３とが最も開いた状態（図１２）では、係合部２７は回動溝上端部２６ａの位置にある。また、第一翼部２と第二翼部３とが最も閉じた状態（図１３）では、係合部２７は回動溝下端部２６ｂの位置にある。
【００２７】
図示例では、係合部材２５としてボルトが用いられているが、これに限定されるものではない。また、係合部材２５は、両翼部と同じ樹脂で形成されていることが好ましい。係合部材２５を同一の樹脂で形成することにより、本発明の視線誘導パネル１を再生処理する際、分別する必要がなく、廃棄処理も容易になる。
【００２８】
このような構成であるので、第一翼部２と第二翼部３とが、必要以上に開くことを防止でき、連接部４への負荷を軽減することができる。すなわち、係合手段２４により、どちらか一方の翼部のみを持って運ぶ際、連接部４にかかる負荷が集中するのを防止でき、連接部４の損傷を防止できる。
【００２９】
なお、本発明の視線誘導パネル１は、上記の構成、形状に限らず、変更可能である。実施例では、単管１１，１１の抜脱防止具としてレバー１４，１４が用いられているが、同一の効果をもたらすものであれば、適宜変更可能である。また、風抜穴１８ａ，１８ｂや貼付部１９ａ，１９ｂの形状も実施例に限定されない。視線誘導パネル１を使用しないときは、図９に示されるように、重ね合わせて収納することができる。このとき、崩止部２２が崩止穴２３に係合されるので、上方に積み重ねても崩れることがない。
【図面の簡単な説明】
【００３０】
【図１】本発明の視線誘導パネルの一実施例の正面図である。
【図２】図１の視線誘導パネルを屈曲させ、レバーを開いた状態を示す正面図である。
【図３】（ａ）は図１の視線誘導パネルの連接部の拡大図であり、（ｂ）は（ａ）のＣ―Ｃ端面図である。
【図４】図１の視線誘導パネルの単管取付部と単管挿脱部との拡大図である。
【図５】図１の視線誘導パネルの底面図である。
【図６】図１の視線誘導パネルのＡ―Ａ断面図である。
【図７】図１の視線誘導パネルのＢ―Ｂ断面図である。
【図８】本発明の視線誘導パネルの一実施例の使用状態を示す斜視図である。
【図９】図１の視線誘導パネルを重ね合わせた収納状態を示す図である。
【図１０】図４のレバー部分を示す図である。
【図１１】従来の視線誘導パネルの使用状態を示す斜視図である。
【図１２】本発明の視線誘導パネルの他の実施例の正面図である。
【図１３】図１２の視線誘導パネルを屈曲させ、レバーを開いた状態を示す正面図である。
【図１４】図１２の部分拡大図である。
【図１５】図１４のＤ―Ｄ断面図である。
【符号の説明】
【００３１】
１  視線誘導パネル
２  第一翼部
３  第二翼部
４  連接部
１０  単管取付部
１１  単管
１２  単管挿脱部
１４  レバー
２５  係合部材
２６  回動溝
２７  係合部
【図１】
2008019699.tif 000003
【図２】
2008019699.tif 000004
【図３】
2008019699.tif 000005
【図４】
2008019699.tif 000006
【図５】
2008019699.tif 000007
【図６】
2008019699.tif 000008
【図７】
2008019699.tif 000009
【図８】
2008019699.tif 000010
【図９】
2008019699.tif 000011
【図１０】
2008019699.tif 000012
【図１１】
2008019699.tif 000013
【図１２】
2008019699.tif 000014
【図１３】
2008019699.tif 000015
【図１４】
2008019699.tif 000016
【図１５】
2008019699.tif 000017